(57)【特許請求の範囲】
【請求項１】
樹脂成形品よりなるコネクタハウジングの内部にそれぞれに前後方向に延在する複数の端子収容室が形成され、前記各端子収容室に後方から挿入されたメス端子が、前記端子収容室内に形成された可撓性を有するランスにより抜け止めされるコネクタにおいて、
前記コネクタハウジングが、前記各端子収容室の前端を画成する前記コネクタハウジングの前端壁を一体に有する第１ハウジングと、前記前端壁が欠けることにより前方が開放された第２ハウジングとの２部品の合体品として構成され、前記第１ハウジングの前端壁には、相手コネクタとの嵌合時に該相手コネクタ側のオス端子の先端が前記端子収容室内のメス端子に嵌まるように挿入される挿入孔が形成され、前記第２ハウジングには、前端が開放された状態で前記端子収容室が形成されると共に、その前端の開放部分を型抜き部として利用しながら成形された前記ランスが設けられ、かつ、前記第１ハウジングと第２ハウジングは、互いに合体する際に前後方向と直交する上下方向に組み合わせ可能とされ、前記第１ハウジングと第２ハウジングには、合体状態においての前後方向への前記両ハウジングの相対変位を阻止する規制部と、前記両ハウジングの上下方向への離反を規制して合体状態を保持するロック機構とが設けられていることを特徴とするコネクタ。
【請求項２】
請求項１に記載のコネクタであって、
前記第１ハウジングには、前記第２ハウジングと組み合わせた際に、前記メス端子を前記ランスと共に二重係止する二重係止部が設けられていることを特徴とするコネクタ。
【請求項３】
請求項１または２に記載のコネクタであって、
前記第１ハウジングが組み合わせ時に上側となるアッパハウジング、前記第２ハウジングが組み合わせ時に下側となるロアハウジングとされており、前記第１ハウジングに、前記相手コネクタと嵌合した際に相手コネクタハウジングのロック部にロックするロックアームが設けられていることを特徴とするコネクタ。
【発明の詳細な説明】
【技術分野】
【０００１】
本発明は、メス端子をコネクタハウジングの内部に収容してランスで抜け止めすると共に、コネクタハウジングの前端壁に、相手コネクタ側のオス端子が挿入されることでメス端子に嵌まるようにオス端子を案内する挿入孔を有したコネクタに関するものである。
【背景技術】
【０００２】
一般的に、メス端子をコネクタハウジングの内部に収容したコネクタでは、後方から挿入したメス端子を、端子収容室内に設けた可撓性を有するランスで抜け止めしている。コネクタハウジングは樹脂成形により製造されるが、その場合ランスの成形が問題となる。通常のランスは、コネクタハウジングの後側から金型で成形する必要のある部分と前側から金型で成形する必要のある部分とからなっており、前側から成形する部分は、コネクタハウジングの前端には相手コネクタ側のオス端子の挿入孔（オス端子の拾い孔とも呼ばれる）を有した前端壁があるため、その前端壁に型抜き孔を設けて成形している。しかし、コネクタハウジングの前端壁に型抜き孔という、機能上において必要のない無用の孔がたくさん残るのは好ましくない。
【０００３】
そこで、例えば、特許文献１には、オス端子の挿入孔を有したコネクタハウジングの前端壁を含む部分を別部材で構成し、前端壁の無い前端部開放の状態で各端子収容室のランスをハウジングの前側から成形できるようにしたコネクタが提案され開示されている。
【０００４】
このコネクタは、図７に示すように、コネクタハウジング１００を、前端が凹所１０５として開放したハウジング本体１０１と、このハウジング本体１０１の前端の凹所１０５に嵌まる保持部材１１０とに分割しており、ハウジング本体１０１に、メス端子１３０を後方から挿入する端子収容室１０２を形成し、端子収容室１０２内に、後方から挿入したメス端子１３０を係止するランス１０３を形成している。この場合、端子収容室１０２は前端が凹所１０５に向けて開放しており、ランス１０３は、凹所１０５を型抜きスペースとして利用することで成形されている。また、コネクタハウジング１００の前端壁を構成する保持部材１１０には、相手コネクタ側のオス端子１４０が挿入されることで、該オス端子１４０の先端をメス端子１３０に嵌まるように誘導する挿入孔１１２が設けられている。
【０００５】
このコネクタは、保持部材１１０をハウジング本体１０１の前端の凹所１０５に前方から嵌め込んで係合させることでコネクタハウジング１００を組み立て、そのコネクタハウジング１００の各端子収容室１０２に対して後方からメス端子１３０を挿入して、各メス端子１３０をランス１０３で抜け止めすることにより構成されている。
【先行技術文献】
【特許文献】
【０００６】
【特許文献１】特開２００６−３０２７５２号公報
【発明の概要】
【発明が解決しようとする課題】
【０００７】
ところで、図７に示した前記特許文献１に記載のコネクタでは、コネクタハウジング１００の前端壁を、ハウジング本体１０１と別体の保持部材１１０として形成しているので、ランス１０３の型抜き孔を前端壁（保持部材１１０）に設ける必要がなくなるという利点が得られるものの、保持部材１１０を前側からハウジング本体１０１の前端の凹所１０５に装着して係合する構成を採用しているので、相手コネクタとの嵌合を解除する際の動作などにより、保持部材１１０にハウジング本体１０１から外そうとする方向の力が働いて、保持部材１１０とハウジング本体１０１の合体状態がずれたり緩んだりする可能性があった。
【０００８】
本発明は、上記事情を考慮し、コネクタハウジングの前端壁に無用の孔（ランス成形用の型抜き孔）を形成しないで済むようにすると共に、２部品でコネクタハウジングを構成するものの、コネクタハウジングの合体状態のずれや緩みの発生を無くして一体性の高いコネクタハウジングを構成することのできるコネクタを提供することを目的とする。
【課題を解決するための手段】
【０００９】
上記課題を解決するために、請求項１の発明は、樹脂成形品よりなるコネクタハウジングの内部にそれぞれに前後方向に延在する複数の端子収容室が形成され、前記各端子収容室に後方から挿入されたメス端子が、前記端子収容室内に形成された可撓性を有するランスにより抜け止めされるコネクタにおいて、前記コネクタハウジングが、前記各端子収容室の前端を画成する前記コネクタハウジングの前端壁を一体に有する第１ハウジングと、前記前端壁が欠けることにより前方が開放された第２ハウジングとの２部品の合体品として構成され、前記第１ハウジングの前端壁には、相手コネクタとの嵌合時に該相手コネクタ側のオス端子の先端が前記端子収容室内のメス端子に嵌まるように挿入される挿入孔が形成され、前記第２ハウジングには、前端が開放された状態で前記端子収容室が形成されると共に、その前端の開放部分を型抜き部として利用しながら成形された前記ランスが設けられ、かつ、前記第１ハウジングと第２ハウジングは、互いに合体する際に前後方向と直交する上下方向に組み合わせ可能とされ、前記第１ハウジングと第２ハウジングには、合体状態においての前後方向への前記両ハウジングの相対変位を阻止する規制部と、前記両ハウジングの上下方向への離反を規制して合体状態を保持するロック機構とが設けられていることを特徴とする。
【００１０】
請求項２の発明は、請求項１に記載のコネクタであって、前記第１ハウジングには、前記第２ハウジングと組み合わせた際に、前記メス端子を前記ランスと共に二重係止する二重係止部が設けられていることを特徴とする。
【００１１】
請求項３の発明は、請求項１または２に記載のコネクタであって、前記第１ハウジングが組み合わせ時に上側となるアッパハウジング、前記第２ハウジングが組み合わせ時に下側となるロアハウジングとされており、前記第１ハウジングに、前記相手コネクタと嵌合した際に相手コネクタハウジングのロック部にロックするロックアームが設けられていることを特徴とする。
【発明の効果】
【００１２】
請求項１の発明によれば、コネクタハウジングを第１ハウジングと第２ハウジングの２部品の合体品として構成し、相手コネクタ側のオス端子を挿入するための挿入孔を有したコネクタハウジングの前端壁を第１ハウジングに形成すると共に、前記前端壁を無くして前端部を開放状態にした第２ハウジングにランスを形成したので、ランス成形用の型抜き孔を、コネクタハウジングの前端壁に形成する必要を無くすことができる。従って、コネクタの小型化に伴ってコネクタハウジングの前端壁の面積当たりの端子数が増えることにより、コネクタハウジングの前端壁が型抜き孔だらけになってしまうのを避けることができる。また、コネクタハウジングの前端壁にランス成形用の型抜き孔が無くなることで、コネクタ嵌合時のオス端子の先端が型抜き孔に誤って嵌ってしまう誤挿入を防止することができ、コネクタ嵌合のスムーズ化が可能となる。
【００１３】
また、この場合の第１ハウジングと第２ハウジングは上下方向に組み合わせて合体するものであり、第１ハウジングと第２ハウジングに、合体した状態で前後方向の両ハウジングの相対変位を規制する規制部と、両ハウジングを上下方向にロックするロック機構とを設けているので、相手コネクタとの嵌合を解除する際の前後方向に沿っての解除操作などによって、第１ハウジングと第２ハウジングの合体状態がずれたり緩んだりするのを防止することができ、２部品を組み合わせて合体したものであるにも拘わらず、コネクタハウジングの一体性を強固に維持することができる。
【００１４】
請求項２の発明によれば、第２ハウジングの端子収容室に後方から挿入したメス端子を、端子収容室に設けたランスと共に、第１ハウジングに設けた二重係止部によって係止することができるので、端子保持の信頼性を向上させることができる。
【００１５】
請求項３の発明によれば、コネクタハウジングの前端壁を一体に有する第１ハウジングにロックアームを設けているので、ロックアームをコネクタハウジングの前端壁の位置から余裕をもって長めに形成することができる。因みに、前端壁を無くした第２ハウジングにロックアームを設けた場合は、前端壁が無いだけに前端壁の位置からロックアームを形成することはできず、従って、ロックアームの長さを余裕をもってとることはできないが、請求項３の発明のように、第１ハウジングにロックアームを設けた場合は、余裕をもった長さにロックアームを形成することができる。従って、十分な可撓性をロックアームに付与することが可能になる。
【図面の簡単な説明】
【００１６】
【図１】本発明の実施形態のコネクタの構成部品であるアッパハウジング（第１ハウジング）を示す外観斜視図である。
【図２】同コネクタの構成部品であるロアハウジング（第２ハウジング）を示す外観斜視図である。
【図３】同コネクタの完成状態を示す外観斜視図である。
【図４】図３の完成状態のコネクタの側断面図である。
【図５】同コネクタと相手コネクタとを嵌合した状態を示す平面図である。
【図６】図５のＡ−Ａ矢視断面図である。
【図７】従来のコネクタの構成を示す側断面図である。
【発明を実施するための形態】
【００１７】
以下、本発明の実施形態を図面を参照して説明する。
【００１８】
図１は実施形態のコネクタの構成部品であるアッパハウジング（第１ハウジング）を示す外観斜視図、図２はロアハウジング（第２ハウジング）を示す外観斜視図、図３はコネクタの完成状態を示す外観斜視図、図４は完成状態のコネクタの側断面図、図５は実施形態のコネクタと相手コネクタとを嵌合した状態を示す平面図、図６は図５のＡ−Ａ矢視断面図である。
【００１９】
図３及び図４に示すように、このコネクタ１は、樹脂成形品よりなるコネクタハウジング１Ａの各端子収容室２４の内部にメス端子３０を収容したものである。端子収容室２４は、それぞれコネクタハウジング１Ａの前後方向に延在し上下に２段設けられており、各端子収容室２４には、後方から挿入されたメス端子３０を抜け止めする可撓性を有したランス２６が形成されている。
【００２０】
この場合のコネクタハウジング１Ａは、各端子収容室２４の前端を画成するコネクタハウジングの前端壁１２を一体に有するアッパハウジング（第１ハウジング）１０と、前端壁１２が欠けることにより前方が開放されたロアハウジング（第２ハウジング）２０との２部品の合体品として構成されている。アッパハウジング１０とロアハウジング２０は、互いに合体する際に前後方向と直交する上下方向に組み合わせ可能に構成されており、アッパハウジング１０は組み合わせ時に上側となり、ロアハウジング２０は組み合わせ時に下側となる。
【００２１】
図１に示すアッパハウジング１０は、上壁１１の前端に下向きに前端壁１２を連設したもので、前端壁１２には、図６に示すように、相手コネクタ５０との嵌合時に相手コネクタ５０側のオス端子５５の先端が端子収容室２４内のメス端子３０に嵌まるように挿入される挿入孔１３が形成されている。また、アッパハウジング１０の上壁１１の上面には、相手コネクタ５０と嵌合した際に相手コネクタハウジング５１のロック部（図示略）にロックするロックアーム１９が、前端壁１２の位置に固定端である基端１９ａを位置させ、その基端１９ａから自由端である先端１９ｂを後方へ延ばした片持式アームの形で形成されている。
【００２２】
また、図２に示すロアハウジング２０は、下段壁２１と中段壁２２と上段壁２３とを上下方向に間隔をおいて配設し、下段壁２１と中段壁２２との間、中段壁２２と上段壁２３との間にそれぞれ、各段の端子収容室２４の左右方向の配列を形成したものである。各端子収容室２４は、前端壁１２がアッパハウジング１０側に設けられていることにより、前端が開放された形で形成されており、各端子収容室２４内には、図４に示すように、前端の開放部分を型抜き部として利用しながら上下方向に可撓性を有するランス２６が成形されている。
【００２３】
また、図４に示すように、ロアハウジング２０の上段壁２３と中段壁２２には、アッパハウジング１０の下面に形成した二重係止部１５がスライド自在に挿入される開口２５が形成されている。また、上段壁２３の開口２５が形成された位置よりも後側の位置には、アッパハウジング１０の下面に形成された規制凹部１７に嵌まる規制凸部（規制部）２７が設けられている。
【００２４】
そして、アッパハウジング１０とロアハウジング２０の合体状態において、ロアハウジング２０側の開口２５を通して端子収容室２４内に進入したアッパハウジング１０側の二重係止部１５が、メス端子３０の凹みに係合することで、メス端子３０がランス２６による係止に加えて二重に係止されるようになっている。また、アッパハウジング１０とロアハウジング２０の合体状態において、ロアハウジング２０側の規制凸部２７がアッパハウジング１０側の規制凹部１７に嵌まることにより、前後方向への両ハウジング１０、２０の相対変位が阻止されるようになっている。
【００２５】
また、アッパハウジング１０とロアハウジング２０には、上下方向に両ハウジング１０、２０を適正に組み合わせた際に互いに係合し、それにより、上下方向への両方ハウジング１０、２０の離反を規制して合体状態を保持するロック爪１８とロック凸部２８（ロック機構）とが設けられている。
【００２６】
このコネクタ１を組み立てる場合は、アッパハウジング１０をロアハウジング２０に対して上方から組み付ける。途中まで組み付けると、二重係止部１５は端子収容室２４に進入する手前で保持される。この状態で、ロアハウジング２０の各端子収容室２４に後方からメス端子３０を挿入する。奥まで挿入すると、メス端子３０に押されたランス２６がいったん撓んで元に戻ることによりメス端子３０を後方へ抜けないように係止する。この状態で、アッパハウジング１０をロアハウジング２０に完全に組み付ける。そうすると、規制凸部２７が規制凹部１７に嵌まることで、両ハウジング１０、２０が前後方向に相対移動しないように結合される。また、二重係止部１５がメス端子３０の凹みに係合することで、メス端子３０が二重係止される。また、ロック爪１８がロック凸部２８に係合することで、アッパハウジング１０とロアハウジング２０が上下方向に外れないようにロックされる。これにより、コネクタ１が完成する。
【００２７】
このコネクタ１を、図５及び図６に示すように相手コネクタ５０と接続する場合は、コネクタハウジング１Ａを相手コネクタ５０側のコネクタハウジング５１の嵌合凹部５２に嵌合させる。そうすると、相手コネクタハウジング５１の後壁部５３に保持されたオス端子５５の先端が、コネクタハウジング１Ａを構成しているアッパハウジング１０の前端壁１２の挿入孔１３にそれぞれ挿入されて、各端子収容室２４内に保持されたメス端子３０と嵌合する。これにより、コネクタ１、５０の接続が達成される。
【００２８】
以上の説明のように、このコネクタ１によれば、コネクタハウジング１Ａをアッパハウジング１０とロアハウジング２０の２部品の合体品として構成し、相手コネクタ５０側のオス端子５５を挿入するための挿入孔１３を有したコネクタハウジングの前端壁１２をアッパハウジング１０に形成すると共に、前端壁１２を無くして前端部を開放状態にしたロアハウジング２０にランス２６を形成しているので、ランス成形用の型抜き孔を、コネクタハウジングの前端壁１２に形成する必要を無くすことができる。従って、コネクタ１の小型化に伴ってコネクタハウジング１Ａの前端壁１２の面積当たりの端子数が増えることにより、コネクタハウジングの前端壁１２が型抜き孔だらけになってしまうのを避けることができる。また、コネクタハウジングの前端壁１２にランス成形用の型抜き孔が無くなることで、コネクタ嵌合時のオス端子５５の先端が型抜き孔に誤って嵌ってしまう誤挿入を防止することができ、コネクタ嵌合のスムーズ化が可能となる。
【００２９】
また、この場合のアッパハウジング１０とロアハウジング２０は上下方向に組み合わせて合体するものであり、アッパハウジング１０とロアハウジング２０に、合体した状態で前後方向の両ハウジング１０、２０の相対変位を規制する規制部（規制凸部２７及び規制凹部１７）と、両ハウジング１０、２０を上下方向にロックするロック機構（ロック爪１８とロック凸部２８）とを設けているので、相手コネクタ５０との嵌合を解除する際の前後方向に沿っての解除操作などによって、アッパハウジング１０とロアハウジング２０の合体状態がずれたり緩んだりするのを防止することができ、２部品を組み合わせて合体したものであるにも拘わらず、コネクタハウジング１Ａの一体性を強固に維持することができる。
【００３０】
また、ロアハウジング２０の端子収容室２４に後方から挿入したメス端子３０を、端子収容室２４に設けたランス２６と共に、アッパハウジング１０に設けた二重係止部１５によって係止することができるので、端子保持の信頼性を向上させることができる。
【００３１】
また、コネクタハウジングの前端壁を一体に有するアッパハウジング１０にロックアーム１９を設けているので、ロックアーム１９をコネクタハウジングの前端壁１２の位置から余裕をもって長めに形成することができる。因みに、前端壁１２を無くしたロアハウジング２０にロックアーム１９を設けた場合は、前端壁１２が無いだけに前端壁１２の位置からロックアームを形成することはできず、従って、ロックアームの長さを余裕をもってとることはできないが、本実施形態のコネクタのように、アッパハウジング１０にロックアーム１９を設けた場合は、余裕をもった長さにロックアーム１９を形成することができるので、十分な可撓性をロックアーム１９に付与することが可能になる。
【符号の説明】
【００３２】
１  コネクタ
１Ａ  コネクタハウジング
１０  アッパハウジング（第１ハウジング）
１２  前端壁
１３  挿入孔
１５  二重係止部
１７  規制凹部（規制部）
１８  ロック爪（ロック機構）
１９  ロックアーム
２０  ロアハウジング（第２ハウジング）
２４  端子収容室
２６  ランス
２５  開口
２７  規制凸部（規制部）
２８  ロック凸部（ロック機構）
３０  メス端子
５０  相手コネクタ
５５  オス端子
【図１】
0005421809.tif 000002
【図２】
0005421809.tif 000003
【図３】
0005421809.tif 000004
【図４】
0005421809.tif 000005
【図５】
0005421809.tif 000006
【図６】
0005421809.tif 000007
【図７】
0005421809.tif 000008